(57)【要約】      （修正有）【課題】広告宣伝用ディスプレイ用シートとノベルティ商品等とを固定し、固定状態を解除しなければノベルティ商品等が容易に分離できない広告宣伝用媒体を提供する。【解決手段】可撓性を有する素材により形成されたディスプレイ用シート１１と、ディスプレイ用シートにループ状紐部材１３により固定された棒状部材１４とを有し、ディスプレイ用シートには棒状部材が挿通されうる径を有する孔部１２が開設される一方、紐部材１３は半分に折りたたんだ場合には棒状部材の長さ寸法よりも短く形成され、孔部には紐部材のループ端部１７が一方向から挿入され、ループ端部により形成された小径空隙内に棒状部材が挿入されることにより紐部材に結び目が形成されて、棒状部材がディスプレイ用シートに対して固定されていることを特徴とする  【選択図】図１
0003133293.tif 000002
【実用新案登録請求の範囲】
【請求項１】
可撓性を有する素材により形成されたディスプレイ用シートと、上記ディスプレイ用シートにループ状紐部材により固定された棒状部材とを有し、
上記ディスプレイ用シートには上記棒状部材が挿通されうる径を有する孔部が開設される一方、上記紐部材は半分に折りたたんだ場合には上記棒状部材の長さ寸法よりも短く形成され、
上記孔部には上記紐部材のループ端部が一方向から挿入され、上記ループ端部により形成された小径空隙内に上記棒状部材が挿入されることにより紐部材に結び目が形成されて、上記棒状部材が上記ディスプレイ用シートに対して固定されていることを特徴とする広告宣伝用媒体。
【請求項２】
上記紐部材は、上記棒状部材の長さ方向端部に固定されていることを特徴とする請求項１記載の広告宣伝用媒体。
【請求項３】
上記棒状部材は筆記具であることを特徴とする請求項１または２いずれか１項に記載の広告宣伝用媒体。
【考案の詳細な説明】
【技術分野】
【０００１】
本考案は、広告宣伝を目的として配布される広告宣伝用媒体に関する。
【背景技術】
【０００２】
従来より、ポスターによる広告宣伝、カード類やノベルティ商品の配布、ダイレクトメールの郵送による広告宣伝が盛んに行われており、日常生活の中において、多くの広告宣伝用媒体を目にする機会が多い。
しかしながら、多量の広告宣伝用媒体が溢れており、これらの広告宣伝用媒体に何らかの興味を惹かれなければ、ポスターに目を通すことはなく、配布物を手に取ることもなく、手に取ったとしても記載された内容にはあまり目を通すことなく廃棄されてしまう場合も多く、また、インパクトのある絵柄や図形などをポスターやノベルティ商品等に施したりしてもその状況はあまり変わらないので、広告宣伝効果は低かった。
このため、何らかの興味を惹かせることができる斬新で広告宣伝効果の高い広告宣伝用媒体の提供が望まれる。
そこで、パズル遊びの要素を広告媒体に施すことで興味を惹かせ、広告宣伝効果を高めようとする試みがある。
このような試みの中で、パズル遊びだけに興味を惹かれるのではなく、パズル遊びと広告宣伝とが密接に結びついて、広告宣伝効果を高めることができるパズル付き広告宣伝用媒体の提供が望まれる。
また、パズル遊びの要素を広告宣伝用媒体に取り入れることで構成が複雑化した場合には、費用が嵩む可能性がある。
このため、広告宣伝費用等を節約して高い広告宣伝効果をうる広告宣伝用媒体の提供が望まれる。
【考案の開示】
【考案が解決しようとする課題】
【０００３】
本考案はこのような課題を解決するためになされたものであって、上記のような従来型の広告宣伝ではなく、広告宣伝用ディスプレイ用シートとノベルティ商品等とを固定し、固定状態を解除しなければノベルティ商品等が容易に分離できないことから、広告宣伝用ディスプレイ用シートを廃棄しにくい状況を作り出して手元に残させることにより、広告宣伝効果を高かめうる広告宣伝用媒体を提供することにある。  
また、ディスプレイ用シートに、固定されたディスプレイ用シートとノベルティ商品等の固定状態を解除する解法が別の媒体に掲載されている旨及びその別の媒体へのアクセス方法を記載することにより、消費者を別の広告宣伝用媒体へ誘導し、更なる広告宣伝を可能とし、広告宣伝効果をより高めうる広告宣伝用媒体を提供することにある。  
また、パズル遊びの要素を取り入れ、パズル遊び自体も楽しむことができる広告宣伝媒体を提供することにある。  
また、構成が簡易であることにより製造コストを嵩ませることがない広告宣伝用媒体を提供することにある。  
【課題を解決するための手段】
【０００４】
上記課題を解決するために、請求項１記載の考案にあっては、可撓性を有する素材により形成されたディスプレイ用シートと、上記ディスプレイ用シートにループ状紐部材により固定された棒状部材とを有し、上記ディスプレイ用シートには上記棒状部材が挿通されうる径を有する孔部が開設される一方、上記紐部材は半分に折りたたんだ場合には上記棒状部材の長さ寸法よりも短く形成され、上記孔部には上記紐部材のループ端部が一方向から挿入され、上記ループ端部により形成された小径空隙内に上記棒状部材が挿入されることにより紐部材に結び目が形成されて、上記棒状部材が上記ディスプレイ用シートに対して固定されていることを特徴とする。
すなわち、上記可撓性を有する素材により形成されたディスプレイ用シートと、上記ディスプレイ用シートにループ状紐部材により固定された棒状部材とを有しているので、ディスプレイ用シートに広告宣伝を付すことができ、上記棒状部材を広告宣伝用のノベルティ商品として構成できる。
また、上記可撓性を有する素材により形成されたディスプレイ用シートには上記棒状部材が挿通されうる径を有する孔部が開設される一方、上記紐部材は半分に折りたたんだ場合には上記棒状部材の長さ寸法よりも短く形成されているので、所定の操作を行うことにより、上記棒状部材と上記ディスプレイ用シートの固定状態が解除され、上記ディスプレイ用シートと上記棒状部材は分離されうる。
また、上記孔部には上記紐部材のループ端部が一方向から挿入され、上記ループ端部により形成された小径空隙内に上記棒状部材が挿入されることにより紐部材に結び目が形成されて、上記棒状部材が上記ディスプレイ用シートに対して固定されているので、上記ディスプレイ用シートと上記棒状部材は分離しにくい。
また、上記可撓性を有する素材により形成されたディスプレイ用シートと、上記ディスプレイ用シートにループ状紐部材により固定された棒状部材とで構成されているので、構成が簡易である。
【０００５】
請求項２記載の考案にあっては、上記紐部材は、上記棒状部材の長さ方向端部に固定されていることを特徴とする。
すなわち、上記紐部材が上記棒状部材の端部に固定され、かつ、上記紐部材は半分に折りたたんだ場合には上記棒状部材の長さ寸法よりも短く形成されているので、上記棒状部材の上記紐部材が固定されていない上記棒状部材の他端部が上記紐部材のループ内を通り抜けることはない。
また、上記紐部材は、上記棒状部材の長さ方向端部に固定されているので、ディスプレイ広告として使用する場合には、外観上の体裁が整っている。
【０００６】
請求項３記載の考案にあっては、上記棒状部材は筆記具であることを特徴とする。
すなわち、上記棒状部材は筆記具であるので、筆記具を使用して、文字等を記載することに用いることができるが、上記ディスプレイ部材と上記筆記具が分離していない場合には、筆記具としては使用しにくい。  
【考案の効果】
【０００７】
請求項１記載の考案にあっては、可撓性を有する素材により形成されたディスプレイ用シートと、ディスプレイ用シートにループ状紐部材により固定された棒状部材とを有しているので、ディスプレイ用シートに広告宣伝を付すことができ、棒状部材を広告宣伝用のノベルティ商品として構成することができるので、何らかの興味を惹かせることができるインパクトのあるメッセージや図柄等の広告宣伝や、別の広告宣伝用媒体へ誘導する広告宣伝を付すことができ、広告宣伝効果を高めうる広告宣伝用媒体を提供することができる。
また、可撓性を有する素材により形成されたディスプレイ用シートには棒状部材が挿通されうる径を有する孔部が開設される一方、紐部材は半分に折りたたんだ場合には棒状部材の長さ寸法よりも短く形成されているので、所定の操作により、ディスプレイ用シートと棒状部材は分離されうるので、パズル遊びの要素を取り入れた広告宣伝用媒体を提供することができる。  
また、孔部には紐部材のループ端部が一方向から挿入され、ループ端部により形成された小径空隙内に棒状部材が挿入されることにより紐部材に結び目が形成されて、棒状部材がディスプレイ用シートに対して固定されているので、ディスプレイ用シートと棒状部材は分離しにくい。したがって、棒状部材からなるノベルティ商品等が分離しにくいことから、広告宣伝用ディスプレイ用シートを廃棄しにくい状況を作り出して手元に残させることにより、広告宣伝効果を高かめうる広告宣伝用媒体の提供することができる。  
また、ディスプレイ用シートと上記棒状部材は分離しにくい構成であるので、ディスプレイ用シートに、別の媒体にディスプレイ用シートと上記棒状部材の固定状態を解除するための解法が掲載されている旨及びその別の媒体へのアクセス方法を記載することにより、消費者を別の媒体に誘導し、更なる広告宣伝を可能とし、広告宣伝効果をより高めうる広告宣伝用媒体を提供することができる。
また、可撓性を有する素材により形成されたディスプレイ用シートと、上記ディスプレイ用シートにループ状紐部材により固定された棒状部材とで構成されているので、構成が簡易であることにより製造コストを嵩ませることがない広告宣伝用媒体を提供することができる。  
【０００８】
請求項２記載の考案にあっては、紐部材は、棒状部材の長さ方向端部に固定され、かつ、紐部材は半分に折りたたんだ場合には棒状部材の長さ寸法よりも短く形成されているので、棒状部材の紐部材が固定されていない棒状部材の他端部が紐部材のループ内を通り抜けることはなく、棒状部材が紐部材によりディスプレイ用シートに固定されている場合には、ディスプレイ部材と棒状部材は分離しにくい。
したがって、ディスプレイ用シートと棒状部材は分離しにくく、棒状部材からなるノベルティ商品等が分離しにくいことから、広告宣伝用のディスプレイ用シートを廃棄しにくい状況を作り出して手元に残させることにより、広告宣伝効果を高かめうる広告宣伝用媒体を提供することができる。
また、紐部材は、棒状部材の長さ方向端部に固定されているので、ディスプレイ広告として展示等する場合には、外観上の体裁の整った広告宣伝効果を高かめうる広告宣伝用媒体を提供することができる。
【０００９】
請求項３記載の考案にあっては、棒状部材は筆記具であるので、ディスプレイ用シートと上記筆記具が分離された場合には、筆記具として単体で使用できる。
一方、ディスプレイ用シートと筆記具が分離されていない場合には、筆記具として使用しにくいので、所有者に、ディスプレイ用シートと筆記具を分離させたいという心象を形成させることができる。
したがって、ディスプレイ用シートに、ディスプレイ用シートと筆記具を分離するための解法が別の媒体に掲載されている旨及びその別の媒体へのアクセス方法を記載することにより別の媒体への誘導を促し、別の媒体においての更なる広告宣伝を可能とし、広告宣伝効果をより高めうる広告宣伝用媒体を提供することができる。
【考案を実施するための最良の形態】
【００１０】
以下、図面を用いて本考案の実施の形態について説明する。
図１に示すように、本実施の形態に係る広告宣伝用媒体１０は、可撓性を有する素材により形成されたディスプレイ用シート１１と、上記ディスプレイ用シート１１にループ状紐部材１３により固定された棒状部材１４とを有し、上記ディスプレイ用シート１１には上記棒状部材１４が挿通されうる径を有する孔部１２が開設される一方、図２に示すように、上記紐部材１３は半分に折りたたんだ場合には上記棒状部材１４の長さ寸法よりも短く形成され、図１に示すように、上記孔部１２には上記紐部材１３のループ端部１７が一方向から挿入され、上記ループ端部１７により形成された小径空隙１８内に上記棒状部材１４が挿入されることにより紐部材１３に結び目１９が形成されて、上記棒状部材１４が上記ディスプレイ用シート１１に対して固定されている。
【実施例】
【００１１】
以下に、本実施例について詳細を説明する。
図１に示すように、広告宣伝用媒体１０は、広告宣伝効果を高めるため、パズル遊びの要素を有し、広告宣伝用媒体１０に形成されている結び目１９はパズルを解くことにより解除しうる構成であり、また、結び目１９を解除しにくい構成とする。
このため、図１に示すように、宣伝広告用媒体１０は、可撓性を有する素材により形成されたディスプレイ用シート１１と、上記ディスプレイ用シート１１にループ状紐部材１３により固定された筆記具１４とを有し、上記ディスプレイ用シート１１には上記筆記具１４が挿通されうる径を有する孔部１２が開設される一方、図２に示すように、上記紐部材１３は、上記筆記具１４の長さ方向端部１５に固定され、上記紐部材１３は半分に折りたたんだ場合には上記筆記具１４の長さ寸法よりも短く形成されている。
広告宣伝用媒体１０は、このような構成からなるので、図１に示すような結び目１９を形成しにくい。
したがって、結び目１９が形成された広告宣伝用媒体１０を形成するには、所定の操作を行うことが必要となる。
【００１２】
ここで、図面を用いて広告宣伝用媒体１０を形成する方法を詳細に説明する。
まず、図３（ａ）に示すように、ディスプレイ用シート１１と筆記具１４の分離状態から、同図（ｂ）に示すように、可撓性を有するディスプレイ用シート１１を撓めて円筒状に形成し、紐部材１３のループ内へ円筒状に撓められたディスプレイ用シート１１を挿入する。
【００１３】
次に、同図（ｃ）に示すように、孔部１２を挿通しうる径からなる筆記具１４の先端部１６を、筆記具１４の先端部１６を上方へ向け、円筒状に撓められたディスプレイ用シート１１の外面から孔部１２へ挿入する。
【００１４】
次に、同図（ｄ）に示すように、紐部材１３を上方へスライドさせると共に筆記具１４の先端部１６の挿入を進め上方へずらし、円筒状に形成されたディスプレイ用シート１１が紐部材１３のループ内を挿通し終わると、同図（ｅ）に示すように、撓められたディスプレイ用シート１１は復元力により平板状になる。
【００１５】
そして、同図（ｅ）に示すように、筆記具１４の先端部１６を引き出すことにより、同図（ｆ）に示すように、結び目１９が形成され、広告宣伝用媒体１０が形成される。
【００１６】
以下に上記実施例の作用について説明する。
図１に示すような広告宣伝用媒体１０においては、ディスプレイ用シート１１と筆記具１４は分離しにくいので、広告宣伝が付された広告宣伝用媒体がシート類のみである場合にはすぐに廃棄されてしまうことが多いが、広告宣伝用媒体１０は、筆記具１４がディスプレイ用シート１１に固定されているので、すぐには廃棄されてしまう可能性が少ないことが期待される。
すなわち、ディスプレイ用シート１１及び筆記具１４は、廃棄されずに手元に残されることが期待されるので、広告宣伝効果を高めることができる。
【００１７】
また、図１に示すようなパズル付き広告宣伝用媒体１０に付随するパズルを解くことにより、ディスプレイ用シート１１と筆記具１４が分離された場合には、再度のパズル遊びを楽しむことができるので、廃棄されずに手元に残されることが期待されるので、広告宣伝効果を高めることができる。
【００１８】
また、このような構成からなる広告宣伝用媒体１０であるので、容易に解くことができない場合には、自力でパズルを解くことが不可能であっても、パズルの解法を知りたいという心境になる場合が多い。
このため、別の媒体にパズルの解法が掲載されている旨及びその別の媒体へのアクセス方法を記載することにより、消費者を別の宣伝広告媒体へ誘導しうる。
すなわち、更なる広告宣伝を可能とし、広告宣伝効果をより高めうる広告宣伝用媒体１０を提供する。
【００１９】
ここで、消費者を別の宣伝広告媒体へ誘導するために付するディスプレイ用シート１１の表示としては、例えば、「このボールペンをはずすことができますか？」、「１０分かけて解けなかった方、答えはこちら」及び自社ホームページへ誘導する旨のインターネットアドレスを記載する。これにより、消費者のパズル遊びへの興味を惹かせることにより、別の広告宣伝用媒体への誘導を促すこともなしうる。
【００２０】
また、広告宣伝用媒体１０は、パズル遊び自体を楽しむことができる。
ここで、図面を用いて広告宣伝用媒体１０に付随するパズルの解法について説明する。
本パズルは、初期状態においては、図４（ａ）に示すように、孔部１２が開設されたディスプレイ用シート１１と、長さ方向端部にループ状紐部材１３により固定された筆記具１４とが、孔部１２に紐部材１３の結び目１９が形成されることによって固定されている。
そして、最終的には、パズルを解くことによって図４（ｉ）に示すように、ディスプレイ用シート１１と筆記具１４とを分離させる。
【００２１】
まず、図４（ａ）に示すように、ディスプレイシート１１の端部において、交差している紐部材１３の結び目１９を整え、紐部材１３にねじれがないように整える。
【００２２】
そして、同図（ｂ）に示すように、紐部材１３のループ端部１７を指で把持し、上方へ引き上げることで形成された紐部材１３の小径空隙内１８に、筆記具１４の先端部１６を把持しながら、筆記具１４を、筆記具１４の紐部材１３の固定された長さ方向端部１５側から挿入する。
【００２３】
次に、同図（ｃ）に示すように、筆記具１４の紐部材１３の固定された長さ方向端部１５側からディスプレイ用シート１１の孔部１２へ挿入する。
この場合、紐部材１３が筆記具１４に当接するまで挿入を進めても、紐部材１３のループ端部１７は、紐部材１３を上記筆記具１４の長さ方向の他端部方向に伸長した場合に、上記筆記具１４の先端部１６までの長さ寸法より短く形成されているので、筆記具１４が紐部材１３のループ内を通り抜けることはなく、筆記具１４とディスプレイ用シート１１は分離することはない。
【００２４】
次に、同図（ｄ）に示すように、ディスプレイ用シート１１を筆記具先端部１６方向を内面とするように撓めることにより円筒状に形成する。
この場合、同図（ｅ）に示すように、一方の手の指で筆記具１４の後端部１５を把持して筆記具１４先端部１６を上方へ引き上げ、円筒状のディスプレイ用シート１１を紐部材１５のループ内を通過しうる径を有する円筒状に形成する。
【００２５】
次に、同図（ｆ）に示すように、紐部材１３のループを広げ、円筒状に撓められたディスプレイ用シート１１の外面を通過させるように、紐部材１３を撓められた円筒状のディスプレイ用シート１１の上端側から通し、同図（ｇ）に示すように、筆記具１４及び紐部材１３を下方へスライドさせ、円筒状態のディスプレイ用シート１２を紐部材１３のループ内を通過させる。この場合、筆記具先端部１６は上方へ引き上げられているので、ディスプレイ用シート１１の孔部１２から抜け落ち、同図（ｈ）に示すように、筆記具１４はディスプレイ用シート１１から分離する。
【００２６】
このように、同図（ｉ）に示すように、最終的には、ディスプレイ用シート１１と筆記具１４とを分離させることができ、パズルを解く目的は達成される。
【００２７】
また、本実施の形態においては記載されていないが、例えば、ディスプレイ用シート１１は方形状に限られるものではなく、棒状部材は筆記具１４に限られるものでもない。また、紐部材１３をチェーンとして構成することもできる。
【産業上の利用可能性】
【００２８】
本考案は、広く広告宣伝用媒体に適用することができる。
【図面の簡単な説明】
【００２９】
【図１】本考案に係る広告宣伝用媒体の一実施の形態を示す斜視図である。
【図２】本考案に係る広告宣伝用媒体を構成する棒状部材の紐部材を伸ばした場合における一実施の形態を示す斜視図である。
【図３】（ａ）は本考案に係る広告宣伝用媒体の形成方法を示すＳＴＥＰ１、（ｂ）はＳＴＥＰ２、（ｃ）はＳＴＥＰ３、（ｄ）はＳＴＥＰ４、（ｅ）はＳＴＥＰ５、（ｆ）はＳＴＥＰ６を示す一実施の形態を示す斜視図である。
【図４】（ａ）は本考案に係る広告宣伝用媒体のパズルの解法を示すＳＴＥＰ１、（ｂ）はＳＴＥＰ２、（ｃ）はＳＴＥＰ３、（ｄ）はＳＴＥＰ４、（ｅ）はＳＴＥＰ５、（ｆ）はＳＴＥＰ６、（ｇ）はＳＴＥＰ７（ｈ）はＳＴＥＰ８、（ｉ）はＳＴＥＰ９を示す一実施の形態を示す斜視図である。
【符号の説明】
【００３０】
１０  広告宣伝用媒体  
１１  ディスプレイ用パネル  
１２  孔部  
１３  紐部材
１４  棒状部材（筆記具）
１５  棒状部材端部（筆記具後端部）
１６  棒状部材他端部（筆記具先端部）
１７  紐部材のループ端部
１８  ループ端部により形成された小径空隙
１９  結び目
【図１】
0003133293.tif 000003
【図２】
0003133293.tif 000004
【図３】
0003133293.tif 000005
【図４】
0003133293.tif 000006